(57)【特許請求の範囲】
【請求項１】
薄板金属の面板の一端部を折り返して二重折り重ね部を形成し、該重ね部に続いて斜辺部を引き出し、その斜辺部に続いて三重に折り返して三重折り重ね部を形成し、かかる二重折り重ね部から三重折り重ね部に続く略Ｚ字形状の縁部Ｍを形成すると共に、該面板の平坦部に続く他端部に上記縁部Ｍと対象の略反Ｚ字形状の縁部Ｍ’を形成し、かかる面板の両端に構成した両端部Ｍ、Ｍ’の内側に樹脂発泡体を配設し、該樹脂発泡体の反面板側の面に保護紙を覆ってサンドイッチ形状として構成し、該両縁部Ｍ、Ｍ’をタル木部として構成したことを特徴とするタル木一体形野地板。
【請求項２】
縁部Ｍ，Ｍ’の構成において、斜辺部の任意位置から折り返し点に垂線部を二重折り重ね部の中心線Ｐよりやや内側に設けたことを特徴とする請求項第１項記載のタル木一体形野地板。
【請求項３】
面板の平坦部に複数のリンクを野地板の長さ方向に従通させて設けたことを特徴とする請求項第１項又は第２項記載のタル木一体形野地板。
【請求項４】
上記保護紙にビス打ちラインを付し、該保護紙のビス打ちライン及び該三重折り重ね部をビスにて貫通して、上記面板をもやに締め付け固定して敷設し、かかる敷設された板面の縁部Ｍ’の隣に相対する縁部Ｍを接合し、ビスを両縁部Ｍ、Ｍ’の二つ折り重ね部の中心位置から垂線間の間隙を通して、締め付け固定することにより、請求項第２項又は第３項記載のタル木一体形野地板を連続して敷設する方法。
【発明の詳細な説明】
【０００１】
【発明の属する技術分野】
本発明は、建築物または構築物の薄板金属板で屋根面あるいは外壁面を形成する際に用いられるタル木及び野地板の一体化に関するものである。
【０００２】
【従来の技術】
金属板で屋根面あるいは外壁面を葺く方法としては、金属板をハット状に屈折して形成した金属タル木支持材１に金属屋根の面板２を取付ける爪部６を打抜き成形して、一端が該金属タル木支持材１の上面部３から盛上がって他端が解放し、解放端面には山形の止着部分７を形成して該面板２を敷設するには、まず一段目の面板２を各支持材１の上面部３に載せ、該面板２の係合部１１を各支持材１の最下段爪部６に嵌め込み、各爪部６をハンマー等で叩いて止着部分７を受部１３に堅く被着させる。次に、該一段目の面板２の上段に敷設する２段目の面板２の係止部８を前記のように固定した一段目の面板２の係合部１１に係止し、一段目の面板係止部８の間隙部１４に２段目の面板２の係止部１０を噛み合わせ、他側端の係合部１１を上方の爪部６に嵌め込んでハンマー等で叩きながら固定させ、以下この作業を繰り返し、金属屋根板を敷設していく。この際支持材１の間隔内に縁部５に載るようにして木毛板その他の材質からなる断熱板１５を敷設し、該断熱板１５の上面に支持材１の高さより盛上げるようにグラスウール、不織布その他弾力性を有する材質の断熱材１６を配置し、その後前記したようにして面板２を順次敷設して施工する。
【０００３】
従ってかかる施工後には、面板２の下面に断熱材１６が圧接されているので、降雨時の雨滴の衝撃音、すなわち降雨騒音が断熱材１６によって消去されるばかりでなく、金属屋根板の面部分の内部と外気とを断熱するのに有効であるとして公開されているものに特開昭５１−１０３６２１がある。
【０００４】
【発明が解決しようとする課題】
前記従来技術の特開昭５１−１０３６２１においては、〔図１０〕のａからｄに図示する如く支持材１の間隔内の縁部５に載るようにして木毛板その他の材質からなる断熱板１５を敷設し、その上面に支持材１の高さより盛り上るようにグラスウール、不織布その他の弾力性を有する断熱材１６を置き、その後面板２を敷設して金属屋根面あるいは金属外壁面を葺く方法が一般的な施工法として用いられてきた。この方法は、支持材１の間隔内の縁部５に木毛板その他の断熱板を載せその上にグラスウール、不織布その他の弾力性を有する断熱材を配設し、その後面板２を敷設して、金属板で屋根面あるいは外壁面を葺く方法が、一般的な施工法として用いられている。
この方法では、木毛板その他の断熱板の取り扱いに重負荷労働を強いられ、更には、かかるグラスウール、不織布等の繊維性断熱材の取り扱いは、皮膚や鼻孔粘膜の刺激、肌のかゆみ、じんましん発生等健康上、作業環境上好ましくない面があり、作業は困難を極めており、これら課題の解決が急務とされていた。
【０００５】
【課題を解決するための手段】
本発明のタル木一体形野地板２０は、ロールフォーミング成形等により薄板金属材の面板３０の一端を折り返して二重折り重ね部２２を形成し、該重ね部２２に続いて斜辺部２３を折り返し点２６に向かって設け、折り返し点２６から三重折りし、三重折り重ね部２８を形成する。該二重折り重ね部２２から三重折り重ね部２８の略Ｚ字状の縁部Ｍを金属タル木部と成す（点線枠表示部）。この段階で、タル木一体形野地板２０の片端縁部Ｍが完成する。該外板３０の三重折り重ね部２８に続いて外板部２９を設け、その先の他端に上記縁部Ｍと対象となる縁部Ｍ’をロールフォーミング成形で形成してかかる薄板金属板の両端に縁部Ｍ、Ｍ’付外板３０を構成する。
【０００６】
両縁部Ｍ、Ｍ’付外板３０の内面に合成樹脂発泡体３２、例えば、イソシアヌレートフォーム、フェノールフォームを保護材３３、例えばクラフト紙、金属箔及び金属を蒸着させたクラフト紙で反該面板側を挟んでサンドイッチ構造とする。この際、該保護材にビス打ライン３４を表示し、施工時のビス止め位置を明確にしたことを特徴とするタル木一体化野地板２０とする。
【０００７】
【発明の実施の形態】
上記のように構成されたタル木一体形野地板２０をもや３５上に敷設する方法を図６の実施例を用いて説明する
タル木一体形野地板２０をもや３５上に直接載せ、接合する他のタル木一体形野地板２０の縁部Ｍを縁部Ｍ’に接合し重ね、重ねた縁部Ｍ、Ｍ’の中央にビス例えばセルフドリリングビス３７で下孔を削設し、垂線下のもや３５にタップ穴を切削し、縁部Ｍ、Ｍ’をもや３５に締め付け固定する。
次にビス打ちライン３４をセルフドリリングビス３７により貫通し、上記三重折り重ね部２８の中央付近に下孔を削設し、もや３５にタップ穴を切削し、該三重折り重ね部２８をもや３５に締め付け固定する。こうして次々とタル木一体形野地板２０ｂを接合して金属屋根葺の下地を完成することができる。
【図６】参照。
【０００８】
【実施例】
次に
【図１】から
【図３】を用いて本発明のタル木一体形野地板２０、２０ａ、２０ｂを説明する。
【図１】は、本発明のタル木一体形野地板の基本形を示した斜視図である。
【図１】の詳細を
【図４】Ａを用いて説明する。
図において縁部Ｍの構成は、薄板金属板をロールフォーミング成形で折り曲げ二重折り重ね部２２を構成し、該重ね部２２に続いて斜辺部２３を折り返し点２６間に設け、該折り返し点２６の始点は、二重折り重ね部２２の中央線Ｐよりやや内側から折り返しを開始し、三重折り２７に続き、この部を三重折り重ね部２８とする。この段階で片端の縁部Ｍが完成される。（詳細
【図４】Ａの点線枠Ｍ参照）
【０００９】
該三重折り重ね部２８に続いて外板部２９を他端Ｍ’の三重折り重ね部にわたって設け、両端に略Ｚ形状の縁部Ｍ、Ｍ’付面板３０が完成する。該面板３０の内面に合成樹脂発泡体３２、例えば、イソシアヌレートフォーム、フェノールフォームを保護材３３、例えばクラフト紙、金属箔で挟んでサンドイッチ状として配設し、面板３０の両端に略Ｚ形状の縁部Ｍ、Ｍ’部をタル木部として構成し、タル木一体形野地板２０が完成する。
タル木一体形野地板２０の代表的寸法を例示すれば、幅４５５ｍｍ、長さ１８２ｍｍ、Ｍ部高さ外寸２５ｍｍ、Ｍ’部の高さ外寸２４ｍｍである。尚、かかる寸法は要望により任意に変化し得るものである。
【００１０】
【図２】は、本発明によるタル木一体形野地板２０ａの縁部Ｍ、Ｍ’の形状に変化を持たせた実施例を示す斜視図である。
【図２】の詳細を
【図４】Ｂを用いて説明する。図において、斜辺部２３の任意点で二重折り重ね部２２の中央線Ｐよりやや内側に屈折点２４を設け、その先の折り返し点２６間までに垂線部２５を設けて、略Ｚ形状の剛性を高める効果を狙うと同時に、かかる野地板どうしを接合し、ビスで固定する際、該斜辺部２３にビス当たり不具合の発生する恐れがないので、安全作業ができる効果を狙ったものである。尚、上記以外の形状、及び構成は、
【図１】と同一である。
【００１１】
【図３】は、
【図２】に示したタル木一体形野地板２０ａの外板部２９に複数のリンク３１を野地板の長さ方向に従通させて設け、外板部２９の剛性を高めたタル木一体形野地板２０ｂである。また
【図３】の詳細を
【図４】Ｃにより説明すれば、野地板全体の形態は外板部２９に設けたリンク３１を除くその他は
【図２】に示す本実施例のタル木一体形野地板２０ａと同一形態をなしている。外板部２９に付設するリンク３１の数は、実施例において４本であるが、必要に応じて任意数を設けることも可能である。また、リンク３１の幅や深さについても、その剛性その他の要望に応じて任意に設定することが可能である。
【００１２】
次に本発明のタル木一体形野地板を金属屋根葺の下地として施工する場合の実施例について
【図５】〜
【図７】を用いて説明する。
【図５】は、もや３５を示し、タル木一体形野地板２０を受けるに足る任意本数のもや３５が用意された状態の斜視図を示す。
【図６】は、
【図５】で準備されたもや３５上にタル木一体形野地板２０を載せ次々と接合固定を繰り返して敷設する施工法を示した斜視図であり、この関係の取付詳細を、
【図７】を用いて説明する。図において、タル木一体形野地板２０の敷設は、もや３５上の規定寸法に合わせて位置決めし、任意位置をビス３７でＭ’部の三重折り重ね部２８をもや３５に仮止めし、次に接合されたタル木一体形野地板２０の縁部Ｍを予め仮敷設されているタル木一体形野地板２０の縁部Ｍ’と接合し、二重折り重ね部２２の中心位置にビス３７で固定する。縁部Ｍ’とＭの接合時にできる垂線２５の間隙を通してビス３７で、もや３５に締め付け固定する。
次にビスにより、保護紙３３に付設されたビス打ちラインに沿って合成樹脂発泡体３２及び三重折り重ね部２８を貫通し、三重折り重ね部２８をもや３５に締め付け固定することにより、金属屋根葺の下地となるタル木一体形野地板２０ｂを省力的に敷設することができるものとしたものである。
【００１３】
【図８】は、
【図６】においてタル木一体形野地板２０をもや３５上に敷設固定した後に唐草３８を取り付けた状態を示す斜視図である。この状態で次に移る屋根葺の準備が全て完了する。
【図６】及び
【図８】のタル木一体形野地板の敷設状態で判る様に、縁部Ｍ、Ｍ’を持つ野地板は、芯材に合成樹脂発泡体３２を持ったサンドイッチパネルとして、断熱性に優れその上遮音性も兼ね備えて、縁部に金属製のタル木を持った野地板として剛性の高い金属屋根の下地材及び外璧用下地材としての役割を果たす。
【００１４】
【図９】は、本発明品のタル木一体形野地板を使用して金属屋根葺を行う場合の一実施例を示す側面図を示し、
【図８】の状態で準備された野地板面上に直接アスファルトルーフィング３９を敷設し、その上部に金属屋根板４０を敷設して金属屋根葺を完成させることができる。この状態として完成された金属屋根は、タル木一体形野地板の効果で屋根全体の剛性力が高められ、耐熱、耐寒性に富んで盛夏の炎暑を遮り、冬季の降雪、降霜等による寒さを防ぐ効果が大きい。また、降雨、降霊時の騒音は、合成樹脂発泡体によって消音されて心地よい居住性を得る金属屋根とすることができる。
【００１５】
【図１０】は、従来法の建築物や構築物の面部分を金属板で施工する場合、葺き替えに有効として紹介されたものである。
また、
【図１０】ｄに示す如く従来法の野地板は一般に木毛板あるいは厚板のベニヤ合板を使用したものがほとんどである。かかる例の場合は、支持材１の間隔内に縁部５に載るようにして木毛板その他の材質からなる断熱板１５を敷設し、該断熱板１５の上面に支持材１の高さより盛り上がるようにグラスウール、不織布その他の弾力性を有する断熱材１６を置き、その後面材２を順次敷設する場合の野地面準備法として紹介されている。
【図１０】ａは支持材に面板を敷設した状態の一部破断した斜視図であり、また
【図１０】ｂは面板の縦断面図、
【図１０】ｃは屋根として施工したときの一部破断した側面図である。
【００１６】
【発明の効果】
本発明は以上
【図１】から
【図９】で説明したように構成されているので、以下に記すような効果を奏する。
１、タル木一体形野地板の形態は、薄板金属板をロールフォーミング成形して、野地板の両端に略Ｚ字形状の縁部Ｍ、Ｍ’を形成して剛性を高めた金属タル木部を持つ外板部２９とし、内側は保護紙で覆い、芯材として合成樹脂発泡体を配設し、サンドイッチ構造としたことにより、軽量でかつ剛性の高いタル木一体形野地板を構成することができた。これにより従来建築業界で要望されてきた耐熱、耐寒性及び遮音性に富み、軽量かつ高剛性の野地板として全てを網羅する効果がある。
２、野地板を敷設する場合にタル木を準備し、その上に野地板を敷設する方法が一般的であるが、本発明のタル木一体形野地板の敷設はタル木の準備を不要とすることができる。
３、軽量かつ高剛性のタル木一体形野地板は、敷設時の労力を省力化し、大幅のコストダウンを達成する。
４、本発明のタル木一体形野地板の製造は、薄板材を連続してロールフォーミング成形で形成した外板の内側に合成樹脂発泡体を配設し、反外板側の面を保護紙で覆ったサンドイッチパネルとして多量生産が可能であるため高品質の製品を安価に提供することが可能である。
【図面の簡単な説明】
【図１】本発明のタル木一体形野地板（基本形）の斜視図
【図２】縁部に垂線２５を設けたタル木一体形野地板の斜視図
【図３】外板部にリンク３１を設けたタル木一体形野地板の斜視図
【図４】本発明に関わる
【図１】、
【図２】、
【図３】の詳細図
【図５】もやを任意本数配設した斜視図
【図６】本発明のタル木一体形野地板を接合敷設する方法を示す斜視図
【図７】本発明の
【図６】の接合部詳解図
【図８】敷設後のタル木一体形野地板に唐草を取り付けた状態を示す斜視図
【図９】タル木一体形野地板を使用して金属屋根葺を行う場合の側面図
【図１０】従来例の金属屋根葺を行う場合の実施例
【符号の説明】
１    支持材
２    面板
３    上面部
４    側面部
５    縁部
６    爪部
７    止着部
８    係止部
９    屈曲部
１０    下面部
１１    係合部
１６    断熱材
２０    タル木一体形野地板
２２    二重折り重ね部
２３    斜辺部
２４    垂線部
２８    三重折り重ね部
２９    外板部
３１    リンク
３２    樹脂発泡体
３３    保護紙
３４    ビス打ちライン
３５    もや
３７    ビス
【図１】
0003572511.tif 000002
【図２】
0003572511.tif 000003
【図３】
0003572511.tif 000004
【図４】
0003572511.tif 000005
【図５】
0003572511.tif 000006
【図６】
0003572511.tif 000007
【図７】
0003572511.tif 000008
【図８】
0003572511.tif 000009
【図９】
0003572511.tif 000010
【図１０】
0003572511.tif 000011